(57)【要約】【課題】  駆動源を使用せずに少ない部品点数で容易な構成で挿入されたカードの引き抜きやガタつきを防止することが可能なカードリーダを提供することを目的とする。【解決手段】  データを記憶させたカードを受入可能なカードリーダ１に、カード挿入口６と、カード通路８と、カード挿入検知スイッチ３０と、カード挿入口６から挿入されたカードのデータを読み取るアンテナ１０と、挿入されたカードに押されることによってアンテナ１０がカードのデータを読み取り可能となる位置まで摺動するスライド部材１２と、スライド部材１２の移動に連動して回動し挿入されたカードを係止するとともにカード挿入検知スイッチ３０を押下するカードロック部材２０を備えた。【選択図】        図３
2006039808.tif 000002
【特許請求の範囲】
【請求項１】
データを記憶させたカードを受入可能なカードリーダにおいて、カード挿入口と、カード通路と、カード挿入検知スイッチと、カード挿入口から挿入されたカードのデータを読み取るアンテナと、挿入されたカードに押されることによって前記アンテナがカードのデータを読み取り可能となる位置まで摺動するスライド部材と、該スライド部材の移動に連動して回動し挿入されたカードを係止するとともに前記カード挿入検知スイッチを押下するカードロック部材を備えたことを特徴とするカードリーダ。
【発明の詳細な説明】
【技術分野】
【０００１】
本発明は、カードに記憶されたデータの読取りや書込みを行う手差し式のカードリーダに関する。
【背景技術】
【０００２】
従来、磁気カードやＩＣカードを手差しで挿入することにより、カードのデータ処理を行うカードリーダは、挿入されてデータの処理を行っている最中にカードがガタついてしまったり、カードが引き抜かれてしまったりして安定したデータ処理が行えなくなるといったことを防止することが求められる。
【０００３】
例えば特開昭６３−１４３６８７号公報に開示されたカードリーダは、カードの挿入を検知する第１検知センサの信号がソレノイドに入力され、ソレノイドによってアームなどを介して係止爪を傾動させてカードの後端縁を係止し、カードの読み取り書き込み処理を行う。また、カード処理後にカードを排出する場合には、第２ソレノイドをＯＦＦして係止爪の係止作用を解除した後、第１ソレノイドを励磁させてカード検知レバーでカードを押し出すよう構成している。
【特許文献１】特開昭６３−１４３６８７号公報
【発明の開示】
【発明が解決しようとする課題】
【０００４】
上記した文献では、カードを係止する係止爪を駆動するのにソレノイドを使用しているのでコストアップに繋がる。また、カードが挿入されている間は常時ソレノイドを励磁することになるので、使用電気量が増大するばかりかソレノイド内部のコイルから熱が発生してしまうという問題が発生する。
【０００５】
本発明は、このような従来の問題点に鑑み、駆動源を使用せずに少ない部品点数で容易な構成で挿入されたカードの引き抜きやガタつきを防止することが可能なカードリーダを提供することを目的とする。
【課題を解決するための手段】
【０００６】
本発明は上記目的を達成させるため、データを記憶させたカードを受入可能なカードリーダにおいて、カード挿入口と、カード通路と、カード挿入検知スイッチと、カード挿入口から挿入されたカードのデータを読み取るアンテナと、挿入されたカードに押されることによってアンテナがカードのデータを読み取り可能となる位置まで摺動するスライド部材と、スライド部材の移動に連動して回動し挿入されたカードを係止するとともにカード挿入検知スイッチを押下するカードロック部材を備えるものとした。
【発明の効果】
【０００７】
データを記憶させたカードを受入可能なカードリーダにおいて、カード挿入口と、カード通路と、カード挿入検知スイッチと、カード挿入口から挿入されたカードのデータを読み取るアンテナと、挿入されたカードに押されることによってアンテナがカードのデータを読み取り可能となる位置まで摺動するスライド部材と、スライド部材の移動に連動して回動し挿入されたカードを係止するとともにカード挿入検知スイッチを押下するカードロック部材を備えたことにより、挿入されたカードを係止することが可能であり、カード処理中にカードの引き抜きやガタつきを防止できるので、安定したカード処理を行うことができる。また、カードを係止するのに駆動源を使用していないのでコストの低下に繋がる。また、カードロック部材がカードの係止する役割と、カード挿入検知スイッチを押下する役割を兼ねているので、少ない部品点数で容易に構成することができる。
【発明を実施するための最良の形態】
【０００８】
以下、本発明の実施の形態について詳細に説明する。本実施例では電磁結合方式、電磁誘導方式等を用いた非接触式ＩＣカードのカードリーダとして説明する。本発明を適用したカードリーダ１の構成について説明する。図１はカードリーダ１の外観を示す斜視図である。カードリーダ１は挿入口カバー２、左側面カバー３、本体部カバー４、右側面カバー５によって外枠を形成している。カードリーダ１は前面にカード挿入口６を有し、左側面カバー３と本体部カバー４との間に形成されるカード通路８がカード挿入口６と繋がっている。
【０００９】
図２はカードリーダ１の外観を示す斜視図であり、左側面カバー３を省略してある。図３は通常時（カード非挿入時）のカードリーダ１の内部構造を示す右側面図、図４は図３におけるＡ−Ａ断面図、図５は図３におけるＢ−Ｂ断面図である。また、図６はカード挿入時のカードリーダ１の内部構造を示す右側面図、図７は図６におけるＣ−Ｃ断面図、図８は図６におけるＤ−Ｄ断面図である。図３、図６は挿入口カバー２および右側面カバー５を省略してあり、図４、図５、図７、図８は挿入口カバー２を省略してある。図９はカードリーダ内部のスライド部材およびカードロック部材（通常時）のみを示した斜視図である。本体部カバー４内部のカード通路８側の略中央位置には挿入されたカードのデータを読み取るアンテナ１０を設け、右側面カバー５側にはアンテナ１０で読み取ったデータを外部の制御コントローラ（不図示）へ送信するアンテナ制御基板（不図示）、ＬＥＤ７とカード挿入検知スイッチ３０とを搭載するスイッチ基板（不図示）が設けられ、ＬＥＤ７は点灯部分が挿入口カバー２に設けた穴を挿通してカードリーダ１の前方部から視認可能となっている。
【００１０】
本体部カバー４の内部略中央位置のアンテナ制御基板とアンテナ１０の間には、スライド部材１２が両端を本体部カバー４に設けたスライドレール４ｂによって前後方向に摺動可能な状態で支持されている。また、スライド部材１２は引張りバネ１６によって前方側に付勢力を受け、通常時はストッパー４ｃ、４ｄ、４ｅによって支持されている（図３乃至図５）。
【００１１】
スライド部材１２は突起１２ａを有し、本体部カバー４に設けた挿通穴４ａを通してカード通路８に突出している。また、スライド部材１２は前方側には傾斜部１２ｂを有し、奥側へ摺動することにより後述するカードロック部材２０の押上部２０ｂを傾斜部１２ｂで押し上げる（図６乃至図８）。
【００１２】
本体部カバー４内部の上前方位置にはスライドロック部材２２がスライド部材１２に隣接して、軸２２ａで回動可能な状態で取り付けられ、引張りバネ２４によって付勢力を受けている。スライド部材１２が奥側へ摺動することにより、スライド部材１２に備えた係止切欠部１２ｃにスライドロック部材２２のロック部２２ｂが入り込みスライド部材１２を支持する（図６乃至図８）。また、スライドロック部材２２はソレノイド２６のプランジャ２６ａに接続され、ソレノイド２６が励磁してプランジャ２６ａが吸引されると、スライドロック部材２２が回動してスライド部材２２の支持を解除し、スライド部材１２は引張りバネ１６の付勢力によって手前側へ摺動し、ストッパー４ｃ、４ｄ、４ｅに支持される状態に戻る（図３乃至図５）。
【００１３】
本体部カバー４内部の前方位置にはカードロック部材２０が軸２０ａで回動可能な状態で取り付けられている。カードロック部材２０には軸２０ａのやや後方位置に押上部２０ｂを備え、スライド部材１２が奥側へ摺動することにより、スライド部材１２の傾斜部１２ｂに押上部２０ｂが押し上げられ回動するように構成されている。
【００１４】
また、カードロック部材２０は後端部にスイッチ押下部２０ｃを備え、カードロック部材２０が回動することにより後述するカード挿入検知スイッチ３０を押下する。さらに、カードロック部材２０は先端部にはロック爪２０ｄを備え、カードロック部材２０が回動することにより挿入されたカードを引き抜くことが出来ないようにロックする（図６乃至図８）。また、ロック爪２０ｄによって別のカード等の異物が挿入されることを防止している。カードロック部材２０は、圧縮バネ２８によって付勢力を受け、ソレノイド２６が励磁してスライド部材が前方側へ摺動することにより圧縮バネ２８が伸長してカードのロックを解除する方向へ回動する（図３乃至図５）。
【００１５】
次にカードリーダ１にカードを挿入したときの動作について説明する。カードをカード挿入口６から挿入し奥側のカード通路８へ押込むと、カードの先端部分によってスライド部材１２の突起１２ａが奥側へ押され、スライド部材１２は奥側へ摺動する。また、カード挿入口６は半円状に切欠かれ、指の入り込みを許容し、カードの挿脱を容易にしている。カードがカード通路８の奥まで押込まれると、スライド部材１２の傾斜部１２ｂがカードロック部材２０の押上部２０ｂの位置まで移動し、押上部２０ｂを押し上げ、カードロック部材２０を回動させる。
【００１６】
また、カードが奥まで押込まれることにより、スライドロック部材２２が引張りバネ２４の付勢力によって回動して、スライドロック部材２２のロック部２２ｂがスライド部材１２の係止切欠部１２ｃに入り込み、引張りバネ１６によって前方側へ付勢力を受けているスライド部材１２を奥に押込まれた状態のままで支持する（図６乃至図８）。
【００１７】
スライド部材１２の傾斜部１２ｂに押上部２０ｂが押し上げられることよってカードロック部材２０が回動すると、カードロック部材２０後端部のスイッチ押下部２０ｃによってスイッチ基板（不図示）に設置されたカード挿入検知スイッチ３０が押下され、カードが完全に挿入されたことを検知する。カード挿入検知スイッチ３０によって検知した信号は制御コントローラへ送信され、信号を受信した制御コントローラはアンテナ１０を、挿入されたカードのデータを読み取るよう制御する。これにより、カードが完全に挿入されたことを確認した後データ処理を行うので安定した処理を行うことができる。また、スイッチ基板にはＬＥＤ７が搭載され、カード挿入検知スイッチ３０が押されることにより点灯する。これにより、カードリーダ１にカードが挿入されている状態か否かが、遠く離れた位置からでも容易に視認できる。
【００１８】
さらに、カードロック部材２０が回動することにより、ロック爪２０ｄがカード挿入口６を遮断する位置まで移動し、挿入されたカードの引き抜きを防止するようロックする。これにより、挿入されたカードのデータ処理を行っている最中にカードを引き抜かれるなどしてエラーが発生することがない。また、カードロック部材２０が、カード挿入検知スイッチ３０を押下する役割と、カードの引き抜きを防止する役割とを兼ねているので、少ない部品点数で容易に構成できる。
【００１９】
カードのデータ処理後カードを排出するときの動作について説明する。ソレノイド２６が励磁してプランジャ２６ａが吸引され、スライドロック部材２２が回動し、ロック部２２ｂがスライド部材１２の係止切欠部１２ｃからはずれ、スライド部材２２の支持を解除する。スライド部材１２は引張りバネ１６の付勢力によって手前側へ摺動し、ストッパー４ｃ、４ｄ、４ｅに支持される状態に戻る。また、同時にスライド部材１２の傾斜部１２ｂによって押上部２０ｂを押し上げられていたカードロック部材２０は、スライド部材が前方側へ摺動することにより圧縮バネ２８の付勢力（伸長する方向）でカードのロックを解除する方向へ回動する。  
【００２０】
実施の形態は以上のように構成され、データを記憶させたカードを受入可能なカードリーダ１に、カード挿入口６と、カード通路８と、カード挿入検知スイッチ３０と、カード挿入口６から挿入されたカードのデータを読み取るアンテナ１０と、挿入されたカードに押されることによってアンテナ１０がカードのデータを読み取り可能となる位置まで摺動するスライド部材１２と、スライド部材１２の移動に連動して回動し挿入されたカードを係止するとともにカード挿入検知スイッチ３０を押下するカードロック部材２０を備えたことにより、挿入されたカードを係止することが可能であり、カード処理中にカードの引き抜きやガタつきを防止できるので、安定したカード処理を行うことができる。また、カードを係止するのに駆動源を使用していないのでコストの低下に繋がる。また、カードロック部材２０がカードを係止する役割と、カード挿入検知スイッチ３０を押下する役割を兼ねているので、少ない部品点数で容易に構成することができる。
【図面の簡単な説明】
【００２１】
【図１】カードリーダの外観を示す斜視図である。
【図２】カードリーダの外観を示す斜視図である。
【図３】通常時のカードリーダの内部構造を示す右側面図である。
【図４】図３のＡ−Ａ断面図である。
【図５】図３のＢ−Ｂ断面図である。
【図６】カード挿入時のカードリーダの内部構造を示す右側面図である。
【図７】図６のＣ−Ｃ断面図である。
【図８】図６のＤ−Ｄ断面図である。
【図９】通常時のスライド部材およびカードロック部材の斜視図である。
【符号の説明】
【００２２】
１      カードリーダ  ２      挿入口カバー  ３      左側面カバー  ４      本体部カバー  ４ａ    挿通穴  ４ｂ    スライドレール  ４ｃ、４ｄ、４ｅ    ストッパー  ５      右側面カバー  ６      挿入口  ７      ＬＥＤ  ８      カード通路  １０    アンテナ  １２    スライド部材  １２ａ  突起  １２ｂ  傾斜部  １２ｃ  係止切欠部  １６    引張りバネ  ２０    カードロック部材  ２０ａ  軸  ２０ｂ  押上部  ２０ｃ  スイッチ押下部  ２２    スライドロック部材  ２２ａ  軸  ２２ｂ  ロック部２４    引張りバネ  ２６    ソレノイド  ２６ａ  プランジャ  ２８    圧縮バネ  ３０    カード検知スイッチ  Ｃ      カード
【図１】
2006039808.tif 000003
【図２】
2006039808.tif 000004
【図３】
2006039808.tif 000005
【図４】
2006039808.tif 000006
【図５】
2006039808.tif 000007
【図６】
2006039808.tif 000008
【図７】
2006039808.tif 000009
【図８】
2006039808.tif 000010
【図９】
2006039808.tif 000011